【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
所定の変動開始条件が成立したときに、前記可変表示装置における識別情報の変動表示を開始させる変動開始制御手段と、
遊技者の操作により、前記識別情報の変動表示を停止させることを指示する停止操作手段と、
前記停止操作手段の操作を検出する停止操作検出手段と、
ゲーム毎に前記可変表示装置の表示結果が導出されるより前に、許容する旨が決定されたときに前記停止操作手段の操作の検出タイミングが適正であることを条件として導出されるとともに通常遊技状態よりも遊技者にとって有利な特別遊技状態への移行を伴う複数種類の特別表示結果と、該特別表示結果とは異なる一般表示結果とを含む複数種類の入賞表示結果の導出を許容するか否かを決定する事前決定手段と、
前記停止操作検出手段が前記停止操作手段の操作を検出したときに、該操作の検出から予め定められた最大遅延時間の範囲内で識別情報の変動表示を停止させることで導出可能な表示結果であって前記事前決定手段の決定結果に応じた表示結果を導出させる導出制御手段と、
前記特別表示結果が導出されたときに、所定の特別終了条件が成立するまで、前記特別遊技状態に遊技状態を制御する特別遊技状態制御手段と、
前記事前決定手段が前記複数種類の特別表示結果のいずれかの導出を許容する旨が決定しているときに、該決定に基づいて対応する種類の特別表示結果が導出されないときに、該許容されている種類の特別表示結果が導出されるまで当該決定を次ゲーム以降に持ち越す特別決定持越手段と、
少なくとも前記事前決定手段により前記特別表示結果の導出を許容する旨が決定されたことを含む所定の連続演出開始条件が成立したときに、１ゲームよりも長い所定ゲーム数の間だけ継続する連続演出を実行する連続演出実行手段とを備え、
前記事前決定手段は、少なくとも前記複数種類の特別表示結果同士については互いに排他的に導出を許容するか否かを決定し、
前記複数種類の特別表示結果は、それぞれ導出を許容する旨が決定されているときにおいて前記最大遅延時間の範囲内で前記可変表示装置の表示結果として導出することができる前記停止操作手段の操作タイミングが定められ、
前記導出制御手段は、
前記複数種類の特別表示結果のいずれかの導出を許容する旨と前記一般表示結果のうちの優先表示結果の導出を許容する旨とが決定されているときとにおいて前記停止操作手段が該特別表示結果と該優先表示結果の何れも導出可能なタイミングで操作されたときに、該優先表示結果を導出させるとともに、
前記複数種類の特別表示結果のいずれかの導出を許容する旨が決定されているときには、前記特別表示結果の種類毎に前記最大遅延時間に応じて前記停止操作手段の操作タイミングが定められる特別タイミングのうちの該導出を許容する旨が決定された種類の特別表示結果に対応した特別タイミングで前記停止操作手段が操作されたことを条件として、該導出を許容する旨の決定された種類の特別表示結果を導出させ、
前記複数種類の特別表示結果の少なくとも１種類を導出させるための特別タイミングは、他の少なくとも１種類の特別表示結果を導出させるための特別タイミングとは互いに重複しないタイミングとなっており、該互いに重複しない特別タイミングに応じて定められる前記複数種類の特別表示結果の全てに対応した前記停止操作手段の非重複タイミング数は、複数あり、
前記連続演出が継続する所定ゲーム数は、該所定ゲーム数中に前記優先表示結果が導出されるゲーム数の期待値に前記非重複タイミング数を加算した数よりも小さい
ことを特徴とするスロットマシン。
【請求項２】
前記特別表示結果の導出を許容する旨が決定されているときに、前記特別遊技状態とは異なる遊技状態であって前記事前決定手段が前記優先表示結果の導出を許容する旨を決定する確率を前記通常遊技状態よりも高くする特定遊技状態に制御する特定遊技状態制御手段をさらに備える
ことを特徴とする請求項１に記載のスロットマシン。
【請求項３】
前記事前決定手段は、前記一般表示結果のうちの同時許容表示結果の導出を許容する旨を単独で決定する単独決定手段と、前記特別表示結果の導出を許容する旨を決定するときに前記同時許容表示結果の導出を許容する旨を同時に決定する同時決定手段とを含み、
前記連続演出実行手段は、さらに前記同時許容表示結果の導出を許容する旨が決定されたことを条件として、前記連続演出を実行し、
前記特定遊技状態制御手段は、さらに前記同時許容表示結果が導出されたときに、前記特定遊技状態に遊技状態を制御する
ことを特徴とする請求項２に記載のスロットマシン。
【請求項４】
前記事前決定手段は、前記一般表示結果のうちの同時許容表示結果の導出を許容する旨を単独で決定する単独決定手段と、前記特別表示結果の導出を許容する旨を決定するときに前記同時許容表示結果の導出を許容する旨を同時に決定する同時決定手段とを含み、
前記連続演出実行手段は、さらに前記同時許容表示結果の導出を許容する旨が決定されたことを条件として、前記連続演出を実行し、
前記同時許容表示結果は、前記可変表示装置の表示結果として導出されたときに所定数の遊技用価値が遊技者に付与される第１小役表示結果と、該第１小役表示結果よりも少ない数の遊技用価値が遊技者に付与される第２小役表示結果とを含み、
前記第２小役表示結果の導出を許容する旨が単独で決定される確率に対する前記同時決定手段により前記特別表示結果の導出を決定する旨が決定されるときに前記第２小役表示結果の導出を許容する旨が決定される確率の比は、前記第１小役表示結果の導出を許容する旨が単独で決定される確率に対する前記同時決定手段により前記特別表示結果の導出を決定する旨が決定されるときに前記第１小役表示結果の導出を許容する旨が決定される確率の比よりも高い
ことを特徴とする請求項１乃至３のいずれか１項に記載のスロットマシン。
【請求項５】
前記事前決定手段は、前記一般表示結果のうちの同時許容表示結果の導出を許容する旨を単独で決定する単独決定手段と、前記特別表示結果の導出を許容する旨を決定するときに前記同時許容表示結果の導出を許容する旨を同時に決定する同時決定手段とを含み、
前記連続演出実行手段は、さらに前記同時許容表示結果の導出を許容する旨が決定されたことを条件として、前記連続演出を実行し、
前記可変表示装置は、各々が識別情報を変動表示させる複数の可変表示部を含むとともに、前記停止操作手段は、前記複数の可変表示部の各々に対応して設けられ、
前記同時許容表示結果は、前記複数の可変表示部のうちの特殊可変表示部に予め定められた特殊識別情報が導出されたときに、該特殊可変表示部以外の可変表示部に導出された識別情報に関わらずに入賞の発生となる表示結果である
ことを特徴とする請求項１乃至４のいずれか１項に記載のスロットマシン。
【請求項６】
前記事前決定手段は、前記一般表示結果のうちの同時許容表示結果の導出を許容する旨を単独で決定する単独決定手段と、前記特別表示結果の導出を許容する旨を決定するときに前記同時許容表示結果の導出を許容する旨を同時に決定する同時決定手段とを含み、
前記連続演出実行手段は、さらに前記同時許容表示結果の導出を許容する旨が決定されたことを条件として、前記連続演出を実行し、
前記連続演出実行手段は、複数種類の演出態様から選択される何れかの演出態様で前記連続演出を実行するとともに、該連続演出の開始から終了までの間において前記事前決定手段が前記同時許容表示結果の導出を許容する旨を決定したときに、該同時許容表示結果の発生を許容する旨が決定されている旨を判定した後から連続演出期間が終了するまでの前記連続演出の少なくとも一部の演出態様を他の演出態様に差し替えて前記連続演出を実行させる演出態様差替手段を含む
ことを特徴とする請求項１乃至５のいずれか１項に記載のスロットマシン。
【手続補正２】
【補正対象書類名】明細書
【補正対象項目名】０００９
【補正方法】変更
【補正の内容】
【０００９】
上記目的を達成するため、本発明にかかるスロットマシンは、
遊技用価値（メダル）を用いて１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
所定の変動開始条件が成立したときに、前記可変表示装置における識別情報の変動表示を開始させる変動開始制御手段と、
遊技者の操作により、前記識別情報の変動表示を停止させることを指示する停止操作手段（停止ボタン１２Ｌ、１２Ｃ、１２Ｒ）と、
前記停止操作手段の操作を検出する停止操作検出手段と、
ゲーム毎に前記可変表示装置の表示結果が導出されるより前に、許容する旨が決定されたときに前記停止操作手段の操作の検出タイミングが適正であることを条件として導出されるとともに通常遊技状態よりも遊技者にとって有利な特別遊技状態（ビッグボーナス）への移行を伴う複数種類の特別表示結果（ビッグボーナス（Ａ）〜（Ｃ））と、該特別表示結果とは異なる一般表示結果（小役、リプレイ）とを含む複数種類の入賞表示結果の導出を許容するか否かを決定する事前決定手段（ＣＰＵ１１１）と、
前記停止操作検出手段が前記停止操作手段の操作を検出したときに、該操作の検出から予め定められた最大遅延時間の範囲内で識別情報の変動表示を停止させることで導出可能な表示結果であって前記事前決定手段の決定結果に応じた表示結果を導出させる導出制御手段（ＣＰＵ１１１：当選フラグに応じて停止制御テーブルを選択）と、
前記特別表示結果が導出されたときに、所定の特別終了条件（４６５枚超または１２０枚超のメダルの払い出し）が成立するまで、前記特別遊技状態に遊技状態を制御する特別遊技状態制御手段（ビッグボーナス（Ａ）または（Ｂ）に入賞するとビッグボーナス（１）に制御し、ビッグボーナス（Ｃ）に入賞するとビッグボーナス（２）に制御する）と、
前記事前決定手段が前記複数種類の特別表示結果のいずれかの導出を許容する旨が決定しているときに、該決定に基づいて対応する種類の特別表示結果が導出されないときに、該許容されている種類の特別表示結果が導出されるまで当該決定を次ゲーム以降に持ち越す特別決定持越手段（ＣＰＵ１１１、ＲＡＭ１１２：ビッグボーナス（Ａ）〜（Ｃ）の当選フラグは、入賞するまで持ち越される）と、
少なくとも前記事前決定手段により前記特別表示結果の導出を許容する旨が決定されたことを含む所定の連続演出開始条件が成立したときに、１ゲームよりも長い所定ゲーム数の間だけ継続する連続演出を実行する連続演出実行手段（ＣＰＵ１２１、液晶表示器４：ビッグボーナス（Ａ）〜（Ｃ）の当選、若しくはスイカ、チェリーまたはリプレイＢの当選で連続演出を実行）とを備え、
前記事前決定手段は、少なくとも前記複数種類の特別表示結果同士については互いに排他的に導出を許容するか否かを決定し、
前記複数種類の特別表示結果は、それぞれ導出を許容する旨が決定されているときにおいて前記最大遅延時間の範囲内で前記可変表示装置の表示結果として導出することができる前記停止操作手段の操作タイミングが定められ、
前記導出制御手段は、
前記複数種類の特別表示結果のいずれかの導出を許容する旨と前記一般表示結果のうちの優先表示結果（リプレイＡ、リプレイＢ）の導出を許容する旨とが決定されているときとにおいて前記停止操作手段が該特別表示結果と該優先表示結果の何れも導出可能なタイミングで操作されたときに、該優先表示結果を導出させるとともに（リプレイＡ、リプレイＢは、ビッグボーナス（Ａ）〜（Ｃ）に優先して、停止ボタン１２Ｌ、１２Ｃ、１２Ｒの操作手順に関わらずに入賞する）、
前記複数種類の特別表示結果のいずれかの導出を許容する旨が決定されているときには、前記特別表示結果の種類毎に前記最大遅延時間に応じて前記停止操作手段の操作タイミングが定められる特別タイミングのうちの該導出を許容する旨が決定された種類の特別表示結果に対応した特別タイミングで前記停止操作手段が操作されたことを条件として、該導出を許容する旨の決定された種類の特別表示結果を導出させ（ビッグボーナス（Ａ）〜（Ｃ）は、互いに入賞させるための停止ボタン１２Ｌ、１２Ｃ、１２Ｒの操作タイミングが異なる）、
前記複数種類の特別表示結果の少なくとも１種類を導出させるための特別タイミングは、他の少なくとも１種類の特別表示結果を導出させるための特別タイミングとは互いに重複しないタイミングとなっており、該互いに重複しない特別タイミングに応じて定められる前記複数種類の特別表示結果の全てに対応した前記停止操作手段の非重複タイミング数は、複数あり、
前記連続演出が継続する所定ゲーム数（５ゲーム）は、該所定ゲーム数中に前記優先表示結果が導出されるゲーム数の期待値に前記非重複タイミング数を加算した数よりも小さい
ことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
なお、前記連続演出が継続する所定ゲーム数は、前記所定ゲーム数から該所定ゲーム数中に前記優先表示結果が導出されるゲーム数の期待値に前記非重複タイミング数を加算した数よりも小さい最大の整数に定められていることがより好ましい。
【手続補正５】
【補正対象書類名】明細書
【補正対象項目名】００１２
【補正方法】変更
【補正の内容】
【００１２】
上記スロットマシンでは、事前決定手段により特別表示結果を導出する旨が決定されたときに、停止操作手段の操作に応じて可変表示装置の表示結果として特別表示結果が導出されることになる。もっとも、複数種類の特別表示結果の少なくとも１種類を導出させるための特別タイミングは、他の少なくとも１種類の特別表示結果を導出させるための特別タイミングとは互いに重複しないタイミングとなっている。複数種類の非特別表示結果のうちの一の特別表示結果を導出させることが可能となる特別タイミングで停止操作手段を操作して該種類の特別表示結果が導出されなかったときには、該種類の特別表示結果の導出を許容する旨が決定されていないことは分かる。この場合であっても、他の種類の特別表示結果の導出を許容する旨が決定されていることはある。
【手続補正６】
【補正対象書類名】明細書
【補正対象項目名】００１３
【補正方法】変更
【補正の内容】
【００１３】
また、特別表示結果の導出を許容する旨の決定が持ち越された状態で一般表示結果のうちの優先表示結果の導出を許容する旨が決定される場合のように、特別表示結果の導出を許容する旨の決定と優先表示結果の導出を許容する旨とが決定されているときには、特別表示結果を導出可能な特別タイミングで停止操作手段が操作されても優先表示結果が導出される。つまり、優先表示結果が導出されたときには、停止操作手段がどのようなタイミングで操作されていたとしても、何れの種類の特別表示結果についても導出を許容する旨が決定されているかどうかが分かることはない。
【手続補正７】
【補正対象書類名】明細書
【補正対象項目名】００１４
【補正方法】変更
【補正の内容】
【００１４】
また、上記スロットマシンでは、連続演出開始条件の成立により１ゲームよりも長い所定ゲーム数の間だけ継続する連続演出が実行されるが、連続演出が実行されている間にも優先表示結果が導出されるゲームが生じ得る。このようなゲームでは何れの種類の特別表示結果も導出を許容する旨が決定されているかどうかは分からない。また、複数種類の特別表示結果の全てについて導出を許容する旨が決定されていないことが分かるまでには、最低でも非重複タイミング数だけのゲームを要することとなる。
【手続補正８】
【補正対象書類名】明細書
【補正対象項目名】００１５
【補正方法】変更
【補正の内容】
【００１５】
これに対して、連続演出開始条件には特別表示結果の導出を許容する旨が決定されたことが含まれているが、連続演出は、非重複タイミング数に所定ゲーム数の間に優先表示結果が導出されるゲーム数の期待値を加算した数よりも小さいゲーム数だけ継続して実行されるものとなっている。このように非重複タイミング数よりも所定ゲーム数の間に優先表示結果が導出されるゲーム数の期待値分だけ連続演出の継続ゲーム数を長くできるので、演出のボリュームを増大させることができる。演出のボリュームを増大させるために非重複タイミング数をむやみに増やす必要がないので、可変表示装置における識別情報の配列の制約や停止制御の複雑化といった問題も回避することができる。